(57)【要約】【課題】和風便器の上部を除去して新たな床面を形成し、その上に洋風便器を設置するトイレの和洋改修方法において、和風便器の破損や抜け落ちが防止され、且つ施工作業が容易なトイレの和洋改修方法を提供する。【解決手段】和風便器１０の前隠し部１３のみを除去する。次いで、和風便器１０の排水口１１に連通するように排水パイプ２１を立ち上げる。次いで、和風便器１０の上部内に蓋材２２を嵌め込み、その上側に高強度板２３を被せ、ボルト２４によってレベル調整する。この高強度板２３の周囲に自硬性材料２６を供給して均す。硬化後、洋風便器３０を設置する。【選択図】図９
2008223382.tif 000002
【特許請求の範囲】
【請求項１】
床に和風便器が設置されたトイレルームを洋風便器が設置されたトイレルームに改修する和洋改修方法において、
該和風便器の上部の少なくとも前隠し部を除去する工程と、
該和風便器の排水口に対して連通するように排水パイプを立ち上げる工程と、
該和風便器の上部内に蓋材を嵌め込む工程と、
該蓋材及び和風便器の上側並びに和風便器周囲の床を覆うように高強度板を設置する工程と、
床上に自硬性材料を供給する工程と、
その後、前記洋風便器を設置する工程と、
を有することを特徴とするトイレの和洋改修方法。
【請求項２】
請求項１において、該蓋材は発泡樹脂よりなることを特徴とするトイレの和洋改修方法。
【請求項３】
請求項１又は２において、前記前隠し部のみを除去し、和風便器の上縁部は残すようにしたことを特徴とするトイレの和洋改修方法。
【請求項４】
請求項１又は２において、該和風便器の上部を床の上面と略同レベルまで除去することを特徴とするトイレの和洋改修方法。
【請求項５】
請求項１又は２において、前記床は、スラブとその上の仕上げ層とを有しており、
前記和風便器の上部の除去に際し、該スラブが露呈するように該和風便器の仕上げ層を除去することを特徴とするトイレの和洋改修方法。
【請求項６】
請求項１ないし５のいずれか１項において、該和風便器の露出面に、該和風便器の落下及び飛散防止用シートを貼り付けることを特徴とするトイレの和洋改修方法。
【請求項７】
請求項１ないし６のいずれか１項において、前記高強度板にレベル調整部材が設けられており、該高強度板の設置時に高強度板のレベルを調整することを特徴とするトイレの和洋改修方法。
【請求項８】
請求項７において、該レベル調整部材は該高強度板の周縁部に設けられたねじ部材であり、該ねじ部材を前記床に当接させるように前記高強度板を設置することを特徴とするトイレの和洋改修方法。
【請求項９】
請求項７又は８において、高強度板が前記和風便器から上方に離隔するように高強度板のレベルを調整することを特徴とするトイレの和洋改修方法。
【請求項１０】
請求項１ないし９のいずれか１項において、前記高強度板は繊維強化コンクリート板よりなることを特徴とするトイレの和洋改修方法。
【請求項１１】
請求項１ないし１０のいずれか１項において、前記蓋材の嵌め込み前に前記和風便器を高強度線材によって前記床に連結することを特徴とするトイレの和洋改修方法。
【請求項１２】
請求項１ないし１１のいずれか１項において、前記高強度板を設置する工程の後に、前記自硬性材料を供給する工程を行うことを特徴とするトイレの和洋改修方法。
【請求項１３】
請求項１ないし１１のいずれか１項において、前記自硬性材料を供給する工程の後に、前記高強度板を設置する工程を行うことを特徴とするトイレの和洋改修方法。
【請求項１４】
請求項１ないし１３のいずれか１項において、前記高強度板の上面のレベルと前記自硬性材料の上面のレベルとを同一にすることを特徴とするトイレの和洋改修方法。
【請求項１５】
請求項１４において、高強度板の上面及び自硬性材料の上面に仕上げ層を設け、その後、前記洋風便器を設置することを特徴とするトイレの和洋改修方法。
【請求項１６】
請求項１ないし１３のいずれか１項において、前記自硬性材料の上面のレベルを前記高強度板の上面のレベルよりも低くし、自硬性材料の上に仕上げ層を設け、この仕上げ層のレベルを前記高強度板の上面のレベルと同一とすることを特徴とするトイレの和洋改修方法。
【発明の詳細な説明】
【技術分野】
【０００１】
本発明は、和風便器が設置されているトイレルームを洋風便器が設置されたトイレルームに改修するためのトイレの和洋改修方法に関する。詳しくは、コンクリート等よりなる床スラブ上に和風便器が設置されている場合に採用されるトイレの和洋改修方法に関する。
【背景技術】
【０００２】
事務所ビル等の和風トイレルームにあっては、コンクリート製床スラブに和風便器設置用の開口が設けられ、この開口に上方から嵌め込むようにして和風便器が設置されている。和風便器の排水口には、スラブ下を引き回された排便管が接続されている。
【０００３】
このような和風トイレルームを洋風便器が設置された洋風トイレルームに改修する場合、和風便器をすべてハツリ落し、排便管を立て直し、スラブ開口に補強筋を配筋してコンクリートで埋めて床を構築し、その後洋風便器を設置することが行われている。しかしながら、この工法では、階下へ和風便器の解体ガラが落下したり排便管の移動などのために階下からの工事も必要となり、工期が長くなり、コストも嵩むものとなっていた。
【０００４】
階上からだけの和洋改修が可能な工法として、特開２００５−２５６４６７号公報には、トイレルームの床に設置された和風便器の上部を除去し、該和風便器の排水口に対して連通するように排水パイプを立ち上げ、該和風便器内を速硬性モルタルなどの自硬性充填物で埋め、その後、その上に洋風便器を設置する工法が記載されている。
【０００５】
また、同号公報には、トイレルームの床に設置された和風便器の上部を除去した後、該和風便器の内面から周囲床面にかけてガラス繊維マットを貼着すること、自硬性材料の上を横断するようにプレートを設置し、その上に洋風便器を設置することが記載されている。
【特許文献１】特開２００５−２５６４６７号公報
【発明の開示】
【発明が解決しようとする課題】
【０００６】
上記特開２００５−２５６４６７号公報では、自硬性材料としてモルタルを用いているが、モルタルを浸透して和風便器内に水が入らないようにモルタルを密実に仕上げることが必要となり、施工に手間がかかる。
【０００７】
また、モルタルの重量分だけ和風便器が重くなる。
【０００８】
本発明は、和風便器の上部を除去して新たな床面を形成し、その上に洋風便器を設置するトイレの和洋改修方法において、和風便器内にモルタルを充填することが不要であり、しかも和風便器内に水が浸透することが十分に防止され、且つ施工作業が容易なトイレの和洋改修方法を提供することを目的とする。
【課題を解決するための手段】
【０００９】
請求項１のトイレの和洋改修方法は、床に和風便器が設置されたトイレルームを洋風便器が設置されたトイレルームに改修する和洋改修方法において、該和風便器の上部の少なくとも前隠し部を除去する工程と、該和風便器の排水口に対して連通するように排水パイプを立ち上げる工程と、該和風便器の上部内に蓋材を嵌め込む工程と、該蓋材及び和風便器の上側並びに和風便器周囲の床を覆うように高強度板を設置する工程と、床上に自硬性材料を供給する工程と、その後、前記洋風便器を設置する工程と、を有することを特徴とするものである。
【００１０】
請求項２のトイレの和洋改修方法は、請求項１において、該蓋材は発泡樹脂よりなることを特徴とするものである。
【００１１】
請求項３のトイレの和洋改修方法は、請求項１又は２において、前記前隠し部のみを除去し、和風便器の上縁部は残すようにしたことを特徴とするものである。
【００１２】
請求項４のトイレの和洋改修方法は、請求項１又は２において、該和風便器の上部を床の上面と略同レベルまで除去することを特徴とするものである。
【００１３】
請求項５のトイレの和洋改修方法は、請求項１又は２において、前記床は、スラブとその上の仕上げ層とを有しており、前記和風便器の上部の除去に際し、該スラブが露呈するように該和風便器の仕上げ層を除去することを特徴とするものである。
【００１４】
請求項６のトイレの和洋改修方法は、請求項１ないし５のいずれか１項において、該和風便器の露出面に、該和風便器の落下及び飛散防止用シートを貼り付けることを特徴とするものである。
【００１５】
請求項７のトイレの和洋改修方法は、請求項１ないし６のいずれか１項において、前記高強度板にレベル調整部材が設けられており、該高強度板の設置時に高強度板のレベルを調整することを特徴とするものである。
【００１６】
請求項８のトイレの和洋改修方法は、請求項７において、該レベル調整部材は該高強度板の周縁部に設けられたねじ部材であり、該ねじ部材を前記床に当接させるように前記高強度板を設置することを特徴とするものである。
【００１７】
請求項９のトイレの和洋改修方法は、請求項７又は８において、高強度板が前記和風便器から上方に離隔するように高強度板のレベルを調整することを特徴とするものである。
【００１８】
請求項１０のトイレの和洋改修方法は、請求項１ないし９のいずれか１項において、前記高強度板は繊維強化コンクリート板よりなることを特徴とするものである。
【００１９】
請求項１１のトイレの和洋改修方法は、請求項１ないし１０のいずれか１項において、前記蓋材の嵌め込み前に前記和風便器を高強度線材によって前記床に連結することを特徴とするものである。
【００２０】
請求項１２のトイレの和洋改修方法は、請求項１ないし１１のいずれか１項において、前記高強度板を設置する工程の後に、前記自硬性材料を供給する工程を行うことを特徴とするものである。
【００２１】
請求項１３のトイレの和洋改修方法は、請求項１ないし１１のいずれか１項において、前記自硬性材料を供給する工程の後に、前記高強度板を設置する工程を行うことを特徴とするものである。
【００２２】
請求項１４のトイレの和洋改修方法は、請求項１ないし１３のいずれか１項において、前記高強度板の上面のレベルと前記自硬性材料の上面のレベルとを同一にすることを特徴とするものである。
【００２３】
請求項１５のトイレの和洋改修方法は、請求項１４において、高強度板の上面及び自硬性材料の上面に仕上げ層を設け、その後、前記洋風便器を設置することを特徴とするものである。
【００２４】
請求項１６のトイレの和洋改修方法は、請求項１ないし１３のいずれか１項において、前記自硬性材料の上面のレベルを前記高強度板の上面のレベルよりも低くし、自硬性材料の上に仕上げ層を設け、この仕上げ層のレベルを前記高強度板の上面のレベルと同一とすることを特徴とするものである。
【発明の効果】
【００２５】
本発明のトイレの和洋改修方法にあっては、和風便器の上部内に蓋材を嵌め込み、この蓋材の上側に高強度板を配置し、高強度板周囲の床に自硬性材料を供給する。従って、該和風便器内に充填物を充填しないため、和風便器が重量物とならず、該和風便器を支持している床スラブへの負荷を少なくすることができる。
【００２６】
本発明では、該蓋材の上側に配置した高強度板を和風便器周囲の床にのみ支持させ、床上荷重を支えることも可能である。このためには、高強度板の周縁部にレベル調整部材を設け、高強度板が和風便器から離隔するように高強度板のレベルを調整するのが好ましい。なお、スペーサによって高強度板のレベルを調整してもよい。
【００２７】
本発明のトイレの和洋改修方法においては、蓋材を和風便器に嵌め込むので、和風便器内への水の浸入が十分に防止される。
【００２８】
本発明では、該蓋材として、発泡樹脂よりなるものを用いることも可能である。発泡樹脂よりなる蓋材であれば、カッターナイフ等で簡単に加工することが可能なので、施工作業をきわめて容易に行うことができる。ただし、本発明における蓋材の材質はこれに限定されるものではなく、種々の材質よりなる蓋材を用いることができる。
【００２９】
本発明では、和風便器の前隠し部のみを切断除去してもよい。このようにすれば、和風便器のリムが残るので、和風便器の床への係止強度が高くなる。
【００３０】
本発明では、和風便器の上部を全周にわたって床と面一となるように切断除去してもよい。これにより、新たに設置する洋風便器のレベルを低くすることができる。
【００３１】
本発明では、床がスラブ上にタイル張り等の仕上げ層を設けたものである場合、このスラブの上面レベルまで仕上げ層と和風便器上部とを切断除去してもよい。これにより、新たに設置する洋風便器のレベルをさらに低いものとすることができる。
【００３２】
本発明のトイレの和洋改修方法にあっては、上部が除去された和風便器の露出面に和風便器の落下及び飛散防止用シートを貼り付けてもよい。これにより、和風便器の落下や割れ飛散の防止を図ることができる。
【００３３】
本発明では、ステンレス線などの高強度線材によって和風便器を床に連結してもよい。これにより、和風便器の保持強度が高いものとなると共に、該和風便器が割れて部分的に落下することも防止される。なお、前述のように、本発明では和風便器内に充填物を充填しないため、該和風便器が重量物とならず、この落下及び飛散防止用シートや高強度線材への負荷も少ない。
【発明を実施するための最良の形態】
【００３４】
以下、図面を参照して本発明の実施の形態について説明する。
【００３５】
［第１の実施の形態］
第１図〜第４図（ａ）及び第５図〜第７図は第１の実施の形態に係るトイレの和洋改修方法によるトイレの改修手順を示す縦断面図、第４図（ｂ）は、和風便器の落下及び飛散防止用シートの配置を示す平面図である。第８図は洋風便器設置前のトイレ床面の斜視図、第９図（ａ）は洋風便器設置後の縦断面図、第９図（ｂ）は同（ａ）図のＢ付近の拡大図である。
【００３６】
第１図に示すように、トイレルームの床１に和風便器設置用開口２が設けられ、この開口２に上方から嵌め込まれるようにして陶器製の和風便器１０が設置されている。この実施の形態では、該床１はコンクリート製の床スラブ本体と、該床スラブ本体の上面に形成されたモルタルやタイル等よりなる仕上げ層とからなる。
【００３７】
図示の通り、この床１の下側空間に排便管３が配設され、この排便管３と和風便器１０の排水口１１とが接続されている。
【００３８】
符号１３は該便鉢１２の前部から立設された前隠し部（金隠し部）を示し、符号１４は和風便器１０への給水管を示している。
【００３９】
なお、この実施の形態では、該便鉢１２の前部に排水トラップ１５が設けられている。
【００４０】
以下に、この和風トイレを洋風トイレに改修するための施工手順について説明する。
【００４１】
まず、第１図から第２図のように、和風便器１０の前隠し部１３のみをダイヤモンドカッター等を用いて切除する。和風便器１０の前隠し部１３以外の上縁部は除去せずに残しておく。
【００４２】
次に、第３図のように便鉢１２の底部のうち排水口１１の上方に位置する部分をダイヤモンドカッター等で切除して開放口１２ａをあけ、排水口１１が便鉢１２の上方へ露見するようにする。また、排水トラップ１５内の溜水を除去する。
【００４３】
次に、第４図（ａ）のように、この和風便器１０の露出面（便鉢１２や排水トラップ１５等の内側面、並びに該便鉢１２の上縁部）に、該和風便器１０の落下及び飛散防止用シート２０を貼り付ける。
【００４４】
この実施の形態では、該落下及び飛散防止用シート２０は、不織布の片面にブチルゴムやゴム化アスファルトコンパウンド等の粘着材料を付着ないし含浸させてなる自己粘着性シートである。ただし、本発明において落下及び飛散防止用シート２０として用いられる自己粘着性シートの材質及び構成はこれに限定されるものではなく、これ以外の種々の自己粘着性シートを落下及び飛散防止用シート２０として用いることができる。
【００４５】
この実施の形態では、第４図（ｂ）の通り、該落下及び飛散防止用シート２０は帯状のものとなっており、複数本の落下及び飛散防止用シート２０を、該和風便器１０を縦横複数方向に横切るように貼り付けている。
【００４６】
なお、この落下及び飛散防止用シート２０の貼り付けに当っては、該落下及び飛散防止用シート２０が和風便器１０の全面にわたって付着するのが望ましいが、部分的に該落下及び飛散防止用シート２０が付着していない箇所が存在していてもよい。
【００４７】
和風便器１０の全面にわたって飛散防止用シート２０を貼り付けた場合には、後述する、和風便器１０の上部内に嵌め込まれる蓋材２２と、この落下及び飛散防止用シート２０とが防水シートとしても機能し、床の防水性も高いものとなる。
【００４８】
この落下及び飛散防止用シート２０の貼り付け後、第５図のように、排水口１１に対して連通するように排水パイプ２１を立ち上げる。詳しくは、該排水口１１に上方から排水パイプ２１の下端側を差し込む。なお、この排水パイプ２１の下端部にはガスケット２１ａを装着しておく。
【００４９】
この排水パイプ２１の上端側は、和風便器１０の上面よりも上方に突出させておく。
【００５０】
次いで、この和風便器１０の上部に蓋材２２を装着する。この蓋材２２としては、断熱性及び切削性がよく、該和風便器１０の上部内に嵌め込みやすいところから、発泡スチロールなどの発泡合成樹脂板が好適である。
【００５１】
蓋材２２を装着するには、和風便器１０の上面の開口形状に合わせてこの蓋材の原板をカットする。また、この蓋材２２のうち前記排水パイプ２１と重なる部分に、該排水パイプ２１を挿通するための孔２２ａを形成する。そして、この孔２２ａに排水パイプ２１を挿通しつつ、蓋材２２を和風便器１０内に嵌め込む。この際、該蓋材２２の側周面と和風便器１０の内周面との間、及び前記開口と排水パイプ２１との間に、シーリング材２２ｂを充填する（第５図（ｂ））。
【００５２】
第５図のように、蓋材２２を、その上面が和風便器１０の上面と略面一状となるように和風便器１０内に嵌め込むのが好ましい。なお、複数の蓋材２２を、和風便器１０内で突き合わせるようにして嵌め込んでもよい。
【００５３】
次に、第６図の通り、この蓋材２２の上側及び和風便器１０周囲の床１を覆うように高強度板２３を被せる。この高強度板２３としては、繊維強化コンクリート板特にスチールファイバや炭素繊維などの高強度、高弾性率の繊維で強化されたコンクリート板が好適である。
【００５４】
この高強度板２３のコーナー部などの周縁部の下面側には、レベル調整用のボルト２４が上下方向螺進可能に螺着されている。このボルト２４にはロック用のナット２５が螺着されている。
【００５５】
このボルト２４の下方への突出長さを調節することにより高強度板２３を水平にする。この際、高強度板２３を和風便器１０の上縁からごく僅か上方に離隔させ、高強度板２３にガタツキが生じないようにするのが好ましい。なお、このようにすれば、後述の洋風便器３０の荷重が和風便器１０にかからないようになる。
【００５６】
次いで、第７図及び第８図の通り、排水パイプ２１の上端のうち高強度板２３から突出する部分を切断した後、排水パイプ２１に排水ソケット２７を装着する。
【００５７】
その後、第９図の通り、この和風便器１０の周囲の床１上に自硬性材料２６を供給し、平坦に均す。自硬性材料２６としては、軽量・速乾・無収縮性のモルタルが好適であり、その上面のレベルが、高強度板２３の上面と面一となるようにするのが好ましいが、自硬性材料２６の上にタイル張りをする場合には、高強度板２３の上面よりも低いレベルとしておく。自硬性材料２６の上を塩化ビニルシートなどのシート材で仕上げ処理する場合、自硬性材料２６のレベルを高強度板２３の上面と面一とし、高強度板２３の上も該シート材で覆うようにしてもよい。なお、自硬性材料２６を高強度板２３の下側にも充填するのが好ましい。
【００５８】
なお、自硬性材料２６を供給して硬化させた後、排水パイプ２１の上端側のうち高強度板２３から突出する部分を切断除去し、該排水パイプ２１の上端に排水ソケット２７を装着してもよい。また、図示では省略されているが、必要に応じ、該自硬性材料２６の上面にタイル張り等の床の表面の仕上げ処理が行われる。そして、排水ソケット２７を介して洋風便器３０の排水口と排水パイプ２１とを接続しつつ、高強度板２３上に洋風便器３０を設置する。洋風便器３０は、その全体が高強度板２３上に載置されてもよく、一部が高強度板２３からはみ出してもよい。
【００５９】
このトイレの和洋改修方法にあっては、和風便器１０の前隠し部１３のみを切断除去し、和風便器１０のリムを残し、このリムを床１の開口２の縁部に係止させたままとしているので、和風便器１０の床１への係止強度が高い。また、和風便器１０に蓋材２３を装着しており、和風便器１０内への水の浸入が防止される。また、和風便器１０内に充填物を充填しないので、和風便器１０が重量物とならず、該和風便器１０を支持している床スラブ１や、該和風便器１０の落下及び飛散防止用シート２０への負荷を少なくすることができる。また、該シート２０を貼ってあるので、万一、和風便器１０がひび割れした場合でも、落下する危険性が少ない。
【００６０】
［第２の実施の形態］
第１０図〜第１５図を参照して、第２の実施の形態に係る、和風便器１０の上縁全体を除去する工法について説明する。
【００６１】
第１０図は前記第１の実施の形態の第２図に相当する断面図である。この第１０図の通り、和風便器１０のうち床１から上側の部分をダイヤモンドカッター等で切断除去し、床１と和風便器１０の切断面とを面一とする（ただし、和風便器１０の切断面が床１の上面よりも若干上位となるようにしてもよい。この場合には、高強度板２３とこの切断面との間に若干の隙間をあけ、高強度板２３から荷重が和風便器１０にかからないようにする。）。次いで、第１１図（前記実施の形態の第４図（ａ）に相当）の通り、落下及び飛散防止用シート２０を和風便器１０の内面に貼着する。次いで、第１２図の通りステンレスワイヤなどの高強度線材３１の一端を和風便器１０に掛け、他端を床１のビス３２に連結して和風便器１０の落下防止対策を行う。高強度線材３１の該一端は、和風便器１０に設けた開放口１２ａに挿通されたり、フック３３を介して該開放口１２ａの縁部に掛止される。ビス３２は、床１の上面に打ち込まれている。
【００６２】
排水パイプ２１を立てた後、前記実施の形態と同様に蓋材２２を和風便器１０に装着する。この際、蓋材２２の上面のレベルは、床１の上面と面一か又はそれよりもごく僅か（例えば５ｍｍ以内）低位とする。
【００６３】
次いで、第１３,１４図の通り、高強度板２３を和風便器１０及びその周囲の床１を覆うように被せ、排水パイプ２１に排水ソケット２７を装着する。
【００６４】
なお、和風便器１０の切断面及び蓋材２２と高強度板２３との間には変成シリコーン系接着剤などの弾性接着剤を介在させるのが好ましい。また、高強度板２３と床１とは二液性エポキシ系接着剤などによって接着する。
【００６５】
その後、第１５図の通り、高強度板２３の周囲に自硬性材料２６を供給して均す。自硬性材料２６が硬化した後、洋風便器３０を設置する。この実施の形態では、洋風便器３０のレベルが第１の実施の形態よりも低いものとなる。
【００６６】
なお、第１５図の通り、ビス３２が高強度板２３よりも外側となるように打っておくと、高強度板２３を床１に面当り状に当てることができ、ガタつきが防止される。
【００６７】
［第３の実施の形態］
上記各実施の形態では、床１は開口２の縁部に至るまでスラブにて構成されているが、第１６図の通り、スラブ１Ａに比較的大きな開口２Ａを設け、この開口２Ａの内面にモルタル１Ｍを詰めるようにした和風トイレルームも存在する。
【００６８】
このような和風トイレルームを改修する場合には、第１７図のように高強度板２３としてスラブ１Ａに掛かる十分に大きいものを用いる。
【００６９】
第１７図は和風便器１０の上部を全周にわたって切除する第１０図〜第１５図の実施の形態に適用した例であるが、前隠し部のみを切除する第１図〜第９図の実施の形態の場合も同様に適用される。即ち、この場合には、ボルト２４がスラブ１Ａに当るように十分に大きい高強度板２３を用いる。
【００７０】
［第４の実施の形態］
第１８図は、床１がスラブ１ａと、仕上げ層として、その上に張り付けモルタル１ｃを介してタイル１ｂが貼り付けられたトイレルームを改修する一例を示している。この場合、和風便器１０のうちタイル１ｂの上面よりも上位部分のみを切断除去してもよいが、スラブ１ａの上面が露呈するようにタイル１ｂ及び張り付けモルタル１ｃよりなる仕上げ層のみを和風便器１０の上縁と共に切断除去してもよい。その後の処置は第１図〜第９図、第１０図〜第１５図のいずれの方法としてもよい。
【００７１】
この実施の形態によると、洋風便器３０のレベルがさらに低いものとなる。
【００７２】
［その他の実施の形態］
本発明では、第１９図のように、落下及び飛散防止用シート２０が和風便器１０の切断した上縁面をも覆うように貼着されてもよい。また、図示はしないが、和風便器１０の周囲の床１上面にまで落下及び飛散防止用シート２０を張り出して貼着してもよい。
【００７３】
第１０図〜第１５図の実施の形態では、ビス３２を高強度板２３よりも外側に配置しているが、第２０図のように高強度板２３の下側にビス３２を配置してもよい。第２０図の符号３５は、蓋材２２と高強度板２３との間の弾性接着剤を示し、３６は高強度板２３を床１に接着するエポキシ系接着剤を示す。
【００７４】
本発明では、落下及び飛散防止用シート２０の貼着に先立って和風便器１０の露出面の少なくとも一部に、鉄ブラシで擦ることなどにより擦過傷を付けておいてもよい。このようにすると、落下及び飛散防止用シート２０と和風便器１０との結合強度が高まり、和風便器１０の保持強度が極めて高くなる。
【００７５】
上記実施の形態では、落下及び飛散防止用シート２０は自己粘着性シートにより構成されているが、本発明においては、自己粘着性シート以外の材料により落下及び飛散防止用シート２０を構成し、接着剤等により、和風便器１０に貼り付けるようにしてもよい。
【００７６】
該落下及び飛散防止用シート２０としては、ガラス繊維マットや金属繊維マット、カーボン繊維（カーボンファイバー）マットなどの種々の繊維マットに接着剤を含浸させたものを用いてもよい。なお、コスト、取り扱い性の良さ並びに接着後の和風便器１０の保持強度の高さから、ガラス繊維マットが好適である。また、この場合、接着剤としては、該ガラス繊維マットと和風便器１０の表面のガラス質との接着力の高さから、エポキシ樹脂系のものが好適である。
【００７７】
このようにガラス繊維マット等よりなる落下及び飛散防止用シート２０を接着剤で和風便器１０の露出面に貼着する場合にも、この貼着に先立ち、該露出面を鉄ブラシで擦るなどして該露出面の少なくとも一部、好ましくは接着剤が付着される部分全体に擦過傷を付けておくことにより、該飛散防止用シート２０と和風便器１０との接着力を高めることができる。
【００７８】
なお、本発明においては、接着剤をガラス繊維マット等の繊維マットに対し現場にて付着ないし含浸させて用いるようにしてもよい。
【００７９】
本発明においては、蓋材２２を和風便器１０に嵌め込むのに先立ち、該和風便器１０内に発泡樹脂製ビーズを充填してもよい。
【００８０】
このように、和風便器１０内に発泡樹脂製ビーズを充填し、蓋材２２を、このビーズ上に載せるようにして和風便器１０内に嵌め込むようにすることにより、該蓋材２２が充填物２３の重量や床上荷重等によって和風便器１０内に落ち込むのを防止することができる。なお、このビーズ２６は発泡樹脂製であり、軽量であることから、このビーズ２６を和風便器１０内に充填しても、これによって和風便器１０に過度に大きな荷重が掛かることはない。
【００８１】
また、万一、和風便器１０内に水が浸入しても、このように和風便器１０内にビーズ２６が充填されていることにより、該和風便器１０内に水が溜まりにくく、万一、和風便器１０にひび割れ等の破損が生じた場合でも、一度に大量の水が階下に漏れ出すことがない。
【００８２】
本発明では、洋風便器３０は、その設置時の前後方向が、トイレルームに元々設置されていた和風便器１０の前後方向と交差方向となるように設置されてもよく、同方向あるいは逆方向となるようにしてもよい。
【００８３】
上記実施の形態では、高強度板２３を設置した後、自硬性材料２６を供給して均すようにしているが、先に自硬性材料２６を和風便器１０の切断面又は蓋材２２の上面レベルに合わせて供給して均し、その後、高強度板２３を設置するようにしてもよい。
【図面の簡単な説明】
【００８４】
【図１】実施の形態に係るトイレの和洋改修方法によるトイレルームの改修手順の説明図である。
【図２】実施の形態に係るトイレの和洋改修方法によるトイレの改修手順の説明図である。
【図３】実施の形態に係るトイレの和洋改修方法によるトイレの改修手順の説明図である。
【図４】実施の形態に係るトイレの和洋改修方法によるトイレの改修手順の説明図である。
【図５】実施の形態に係るトイレの和洋改修方法によるトイレの改修手順の説明図である。
【図６】実施の形態に係るトイレの和洋改修方法によるトイレの改修手順の説明図である。
【図７】実施の形態に係るトイレの和洋改修方法によるトイレの改修手順の説明図である。
【図８】実施の形態に係るトイレの和洋改修方法によるトイレの改修手順の説明図である。
【図９】洋風便器設置後の縦断面図である。
【図１０】実施の形態に係るトイレの和洋改修方法によるトイレの改修手順の説明図である。
【図１１】実施の形態に係るトイレの和洋改修方法によるトイレの改修手順の説明図である。
【図１２】実施の形態に係るトイレの和洋改修方法によるトイレの改修手順の説明図である。
【図１３】実施の形態に係るトイレの和洋改修方法によるトイレの改修手順の説明図である。
【図１４】実施の形態に係るトイレの和洋改修方法によるトイレの改修手順の説明図である。
【図１５】実施の形態に係るトイレの和洋改修方法によるトイレの改修手順の説明図である。
【図１６】実施の形態に係るトイレの和洋改修方法によるトイレの改修手順の説明図である。
【図１７】実施の形態に係るトイレの和洋改修方法によるトイレの改修手順の説明図である。
【図１８】実施の形態に係るトイレの和洋改修方法によるトイレの改修手順の説明図である。
【図１９】実施の形態に係るトイレの和洋改修方法によるトイレの改修手順の説明図である。
【図２０】実施の形態に係るトイレの和洋改修方法によるトイレの改修手順の説明図である。
【符号の説明】
【００８５】
１  床
１Ａ，１ａ  床スラブ
１ｂ  タイル
１ｃ  張り付けモルタル
１Ｍ  モルタル
２，２Ａ  和風便器設置用開口
３  排便管
１０  和風便器
１１  排水口
１２  便鉢
１３  前隠し部
１５  排水トラップ
２０  落下及び飛散防止用シート
２１  排水パイプ
２２  蓋材
２３  高強度板
２４  ボルト
２５  ナット
２６  自硬性材料
２７  排水ソケット
３１  高強度線材
３２  ビス
３３  フック
【図１】
2008223382.tif 000003
【図２】
2008223382.tif 000004
【図３】
2008223382.tif 000005
【図４】
2008223382.tif 000006
【図５】
2008223382.tif 000007
【図６】
2008223382.tif 000008
【図７】
2008223382.tif 000009
【図８】
2008223382.tif 000010
【図９】
2008223382.tif 000011
【図１０】
2008223382.tif 000012
【図１１】
2008223382.tif 000013
【図１２】
2008223382.tif 000014
【図１３】
2008223382.tif 000015
【図１４】
2008223382.tif 000016
【図１５】
2008223382.tif 000017
【図１６】
2008223382.tif 000018
【図１７】
2008223382.tif 000019
【図１８】
2008223382.tif 000020
【図１９】
2008223382.tif 000021
【図２０】
2008223382.tif 000022